(57)【特許請求の範囲】
【請求項１】
炊飯器本体と、
調理物を収容する鍋と、
前記炊飯器本体の内部に設けられ、前記鍋を収納する保護枠と、
平面視において前記保護枠の上面開口部と前記炊飯器本体の上面開口部との間を覆うように設けられた上枠と、
前記上枠の上方後部に配置されたヒンジ部と、
前記ヒンジ部に回動自在に取り付けられ、当該ヒンジ部を中心として回動することにより、前記炊飯器本体の上面開口部を開閉自在に覆う蓋体と、
を備え、前記鍋内を加圧状態して炊飯を行う圧力式炊飯器であって、
前記ヒンジ部を補強するヒンジ補強部材と、
前記ヒンジ補強部材から前記保護枠まで前記上枠の内面に沿って延在するように設けられ、前記上枠を補強する上枠補強部材と、
をさらに備え、
前記上枠補強部材の一部は、前記ヒンジ補強部材に取り付けられ、
前記上枠補強部材の他部は、前記保護枠と前記上枠との隙間に位置している、
圧力式炊飯器。
【請求項２】
炊飯器本体と、
調理物を収容する鍋と、
前記炊飯器本体の内部に設けられ、前記鍋を収納する保護枠と、
平面視において前記保護枠の上面開口部と前記炊飯器本体の上面開口部との間を覆うように設けられた上枠と、
前記上枠の上方後部に配置されたヒンジ部と、
前記ヒンジ部に回動自在に取り付けられ、当該ヒンジ部を中心として回動することにより、前記炊飯器本体の上面開口部を開閉自在に覆う蓋体と、
を備え、前記鍋内を加圧状態して炊飯を行う圧力式炊飯器であって、
前記ヒンジ部を補強するヒンジ補強部材と、
前記ヒンジ補強部材から前記保護枠まで前記上枠の内面に沿って延在するように設けられ、前記上枠を補強する上枠補強部材と、
をさらに備え、
前記上枠補強部材の一部は、前記ヒンジ補強部材に取り付けられ、
前記上枠補強部材の他部は、前記保護枠の外面に取り付けられている、
圧力式炊飯器。
【請求項３】
前記上枠補強部材の他部は、前記保護枠の外面に沿って設けられ、前記上枠の内面と前記保護枠の外面とが成す角度を保持するように構成されている、請求項２に記載の圧力式炊飯器。
【請求項４】
炊飯器本体と、
調理物を収容する鍋と、
前記炊飯器本体の内部に設けられ、前記鍋を収納する保護枠と、
平面視において前記保護枠の上面開口部と前記炊飯器本体の上面開口部との間を覆うように設けられた上枠と、
前記上枠の上方後部に配置されたヒンジ部と、
前記ヒンジ部に回動自在に取り付けられ、当該ヒンジ部を中心として回動することにより、前記炊飯器本体の上面開口部を開閉自在に覆う蓋体と、
を備え、前記鍋内を加圧状態して炊飯を行う圧力式炊飯器であって、
前記ヒンジ部を補強するヒンジ補強部材と、
前記ヒンジ補強部材から前記保護枠まで前記上枠の内面に沿って延在するように設けられ、前記上枠を補強する上枠補強部材と、
をさらに備え、
前記上枠補強部材は、
一部が前記ヒンジ補強部材に取り付けられ、他部が前記保護枠と前記上枠との隙間に位置する第１補強部材と、
一部が前記ヒンジ補強部材又は第１補強部材に取り付けられ、他部が前記保護枠の外面に沿って設けられ、前記上枠の内面と前記保護枠の外面とが成す角度を保持するように構成された第２補強部材と、
を備える、圧力式炊飯器。
【請求項５】
前記上枠補強部材は、前記上枠よりも剛性が高い金属材料で構成されている、請求項１〜４のいずれか１つに記載の圧力式炊飯器。
【請求項６】
前記上枠補強部材は、金属板を折り曲げ加工して構成されている、請求項１〜５のいずれか１つに記載の圧力式炊飯器。
【発明の詳細な説明】
【技術分野】
【０００１】
本発明は、鍋内を加圧状態にして炊飯を行う圧力式炊飯器に関する。
【背景技術】
【０００２】
炊飯器は、一般に、炊飯器本体の上面開口部を開閉自在に覆う蓋体を備えている。この蓋体は、通常、一端部をヒンジ部に回動自在に取り付けられ、ヒンジ部を中心として回動することにより炊飯器本体の上面開口部を開閉自在に覆うように構成されている。
【０００３】
この構成では、蓋体が回動する際の遠心力により、ヒンジ部の近傍部分に大きな負荷がかかる。ヒンジ部は、通常、樹脂材料により構成されるため、当該負荷によりヒンジ部の近傍部分が破壊又は変形することが起こり得る。
【０００４】
このため、例えば、特許文献１（特開２００４−３４４５６８号公報）に開示された炊飯器のように、ヒンジ部に金属製の補強板を設けて、ヒンジ部の近傍部分の破壊又は変形を抑えるように構成された炊飯器が知られている。
【先行技術文献】
【特許文献】
【０００５】
【特許文献１】特開２００４−３４４５６８号公報
【発明の概要】
【発明が解決しようとする課題】
【０００６】
しかしながら、従来の構成を圧力式炊飯器に適用すると、ヒンジ部の近傍部分の破壊又は変形を十分に抑えることができないことが起こり得る。従来の構成は、この観点において未だ改善の余地がある。
【０００７】
従って、本発明の目的は、前記課題を解決することにあって、ヒンジ部の近傍部分の破壊又は変形をより一層抑えることができる圧力式炊飯器を提供することにある。
【課題を解決するための手段】
【０００８】
前記目的を達成するために、本発明に係る圧力式炊飯器は、炊飯器本体と、
調理物を収容する鍋と、
前記炊飯器本体の内部に設けられ、前記鍋を収納する保護枠と、
平面視において前記保護枠の上面開口部と前記炊飯器本体の上面開口部との間を覆うように設けられた上枠と、
前記上枠の上方後部に配置されたヒンジ部と、
前記ヒンジ部に回動自在に取り付けられ、当該ヒンジ部を中心として回動することにより、前記炊飯器本体の上面開口部を開閉自在に覆う蓋体と、
を備え、前記鍋内を加圧状態して炊飯を行う圧力式炊飯器であって、
前記ヒンジ部を補強するヒンジ補強部材と、
前記ヒンジ補強部材から前記保護枠まで前記上枠の内面に沿って延在するように設けられ、前記上枠を補強する上枠補強部材と、
をさらに備える、ように構成されている。
【発明の効果】
【０００９】
本発明に係る圧力式炊飯器によれば、ヒンジ部の近傍部分の破壊又は変形をより一層抑えることができる。
【図面の簡単な説明】
【００１０】
【図１】本発明の実施形態に係る圧力式炊飯器を前方斜め上方から見た斜視図である。
【図２】図１の圧力式炊飯器の断面図である。
【図３】図１の炊飯器の蓋体を取り外した状態を示す平面図である。
【図４】鍋収納部の構造を後方斜め上方から見た斜視図である。
【図５】鍋収納部から上枠を取り外した状態を後方斜め上方から見た斜視図である。
【図６】上枠補強部材を取り付けた上枠を斜め下方から見た斜視図である。
【図７】第１補強部材を斜め上方から見た斜視図である。
【図８】第２補強部材を斜め上方から見た斜視図である。
【図９】ヒンジ補強部材と上枠補強部材とを組み合わせた状態を斜め下方から見た斜視図である。
【発明を実施するための形態】
【００１１】
（本発明の基礎となった知見）
本発明者らは、ヒンジ部の近傍部分の破壊又は変形をより一層抑えるために鋭意検討した結果、以下の知見を得た。
【００１２】
圧力式炊飯器は、鍋内を加圧状態にして炊飯を行うものである。圧力式炊飯器においては、鍋内の圧力が大気圧よりも高くなるため、鍋の上方に位置する蓋体の部分が持ち上げられるように強い圧力がかかる。その結果、ヒンジ部の近傍部分には、湾曲するように強い圧力がかかり、破壊又は変形し易くなる。
【００１３】
また、圧力式炊飯器においては、鍋内の圧力を調整する機構が蓋体内に設けられている。このため、蓋体の重量が重くなって、蓋体が回動する際の遠心力が大きくなり、ヒンジ部の近傍部分にかかる負荷も一層大きくなる。
【００１４】
そこで、本発明者らは、鋭意検討した結果、ヒンジ補強部材から高剛性を有する保護枠まで上枠の内面に沿って延在するように上枠補強部材を設けることで、圧力式炊飯器においても、ヒンジ部の近傍部分の破壊又は変形を十分に抑えられることを見出した。この新規な知見に基づき、本発明者らは以下の発明に至った。
【００１５】
本発明の第１態様によれば、炊飯器本体と、
調理物を収容する鍋と、
前記炊飯器本体の内部に設けられ、前記鍋を収納する保護枠と、
平面視において前記保護枠の上面開口部と前記炊飯器本体の上面開口部との間を覆うように設けられた上枠と、
前記上枠の上方後部に配置されたヒンジ部と、
前記ヒンジ部に回動自在に取り付けられ、当該ヒンジ部を中心として回動することにより、前記炊飯器本体の上面開口部を開閉自在に覆う蓋体と、
を備え、前記鍋内を加圧状態して炊飯を行う圧力式炊飯器であって、
前記ヒンジ部を補強するヒンジ補強部材と、
前記ヒンジ補強部材から前記保護枠まで前記上枠の内面に沿って延在するように設けられ、前記上枠を補強する上枠補強部材と、
をさらに備える、圧力式炊飯器を提供する。
【００１６】
本発明の第２態様によれば、前記上枠補強部材の一部は、前記ヒンジ補強部材に取り付けられ、
前記上枠補強部材の他部は、前記保護枠と前記上枠との隙間に位置している、
第１態様に記載の圧力式炊飯器を提供する。
【００１７】
本発明の第３態様によれば、前記上枠補強部材の一部は、前記ヒンジ補強部材に取り付けられ、
前記上枠補強部材の他部は、前記保護枠の外面に取り付けられている、
第１態様に記載の圧力式炊飯器を提供する。
【００１８】
本発明の第４態様によれば、前記上枠補強部材の他部は、前記保護枠の外面に沿って設けられ、前記上枠の内面と前記保護枠の外面とが成す角度を保持するように構成されている、第３態様に記載の圧力式炊飯器を提供する。
【００１９】
本発明の第５態様によれば、前記上枠補強部材は、
一部が前記ヒンジ補強部材に取り付けられ、他部が前記保護枠と前記上枠との隙間に位置する第１補強部材と、
一部が前記ヒンジ補強部材又は第１補強部材に取り付けられ、他部が前記保護枠の外面に沿って設けられ、前記上枠の内面と前記保護枠の外面とが成す角度を保持するように構成された第２補強部材と、
を備える、第１態様に記載の圧力式炊飯器を提供する。
【００２０】
本発明の第６態様によれば、前記上枠補強部材は、前記上枠よりも剛性が高い金属材料で構成されている、第１〜５態様のいずれか１つに記載の圧力式炊飯器を提供する。
【００２１】
本発明の第７態様によれば、前記上枠補強部材は、金属板を折り曲げ加工して構成されている、第１〜６態様のいずれか１つに記載の圧力式炊飯器を提供する。
【００２２】
以下、本発明の実施の形態について、図面を参照しながら説明する。なお、この実施形態によって本発明が限定されるものではない。
【００２３】
《実施形態》
図１及び図２を参照しつつ、本発明の実施形態に係る圧力式炊飯器について説明する。図１は、本発明の実施形態に係る圧力式炊飯器を前方斜め上方から見た斜視図である。図２は、図１の圧力式炊飯器の断面図である。本実施形態に係る圧力式炊飯器は、炊飯時に鍋内の圧力を大気圧以上の加圧状態（例えば、１．２気圧程度）にして炊飯する圧力式炊飯器である。
【００２４】
図１及び図２に示すように、本実施形態に係る圧力式炊飯器は、略有底筒状の炊飯器本体１と、炊飯器本体１の上面開口部を開閉自在に覆う蓋体２とを備えている。
【００２５】
蓋体２の上面には、炊飯コース、炊飯時間などの各種情報を表示する液晶ディスプレイなどの表示部３と、白米コースや玄米コース、白米（柔らかめ）コースなどの複数の炊飯コースの中から特定の炊飯コースを選択可能な操作部４とが設けられている。操作部４は、炊飯コースの選択の他、炊飯の開始、取り消し、予約などの実行を指示できるように、炊飯開始ボタンなどの複数のボタンで構成されている。ユーザーは、表示部３の表示内容を参照しつつ、操作部４にて特定の炊飯コースを選択し、炊飯開始を指示することができる。
【００２６】
また、蓋体２の上面には、炊飯器本体１の内部に収納される鍋５内の空間と連通し、当該空間から発生する蒸気を外部に放出するための蒸気筒６が設けられている。
【００２７】
蓋体２は、図２に示すように、炊飯器本体１の上方後部（図２の左上側）に配置されたヒンジ部Ｈ１に回動自在に取り付けられ、当該ヒンジ部Ｈ１を中心として回動することにより、炊飯器本体１の上面開口部を開閉自在に覆うように構成されている。また、蓋体２は、炊飯器本体１の上方前部（図２の右上側）に係合可能に構成されている。蓋体２は、図１に示すように蓋体２の上方前部に設けられた開ボタン７が押圧されることで、炊飯器本体１の上方前部との係合が解除され、炊飯器本体１の上面開口部を開放するようにヒンジ部Ｈ１を中心として回動する。
【００２８】
蓋体２の内部には、鍋５内の圧力を調整する圧力調整機構（図示せず）が設けられている。圧力調整機構については公知の構造であるので、ここでは説明を省略する。
【００２９】
炊飯器本体１の内部には、図２に示すように、鍋５を着脱自在に収納する有底筒状の鍋収納部８が形成されている。鍋５には、米と水とを含む調理物が入れられる。鍋収納部８は、保護枠（コイルベースともいう）９と上枠１０とで構成されている。
【００３０】
保護枠９は、鍋５を収納する部分であり、鍋５の形状に対応して有底筒状に形成されている。また、保護枠９は、鍋５の外周面に対して所定の隙間が空くように、鍋５よりも少し大きく形成されている。また、保護枠９は、耐熱性を有する樹脂で構成され、上枠１０よりも高剛性を有する部材である。
【００３１】
保護枠９の外周面には、鍋５の外周面と対向するように配置されて鍋５を誘導加熱する鍋加熱装置１１が配置されている。鍋加熱装置１１は、リング状の底内コイル１１ａと、リング状の底外コイル１１ｂとを備えている。底内コイル１１ａは、保護枠９を介して鍋５の底部の中央部周囲に対向するように配置されている。底外コイル１１ｂは、保護枠９を介して鍋５の側底部（コーナー部）と対向するように配置されている。
【００３２】
保護枠９の底部の中央部分には、開口部９ｂが設けられている。開口部９ｂには、鍋５の温度を測定するための鍋温度センサ１２が、鍋収納部８に収納された鍋５の底部に当接可能に配置される。鍋５の温度は鍋５内の調理物の温度と略同じであるので、鍋温度センサ１２が鍋５の温度を検知することで、鍋５内の調理物の温度を検知することができる。
【００３３】
図３は、本実施形態に係る炊飯器の蓋体２を取り外した状態を示す平面図である。図３及び図４に示すように、上枠１０は、環状に形成され、炊飯器本体１の上面開口部を形成する上端部１ａから内方へ向かう平面を有するように形成されている。上枠１０の内周部１０ａは、図２に示すように、保護枠９の上端部９ａに取り付けられている。すなわち、上枠１０は、図３に示すように、平面視において保護枠９の上面開口部と炊飯器本体１の上面開口部との間を覆うように設けられている。
【００３４】
炊飯器本体１と鍋収納部８とで囲まれた空間には、図２示すように、鍋加熱装置１１の加熱動作を制御する制御装置１３が搭載されている。制御装置１３は、操作部４に入力された情報と鍋温度センサ１２の検知温度とに基づいて、鍋加熱装置１１の加熱量（通電率、加熱温度、加熱時間、又は加熱出力）を制御し、炊飯工程を行う。また、制御装置１３は、別途設けられた計時部（図示せず）により炊飯工程中の各工程（予熱、昇温、沸騰維持、蒸らし）の所要時間も制御する。
【００３５】
制御装置１３は、鍋加熱装置１１の加熱動作を制御する電子部品１４が実装された制御基板１５を備えている。制御基板１５は、略矩形板状に形成され、垂直方向に延在するように配置されている。制御基板１５の下端部には、電子部品１４を冷却するためのヒートシンク１６が取り付けられている。ヒートシンク１６は、例えば、アルミニウムにより構成されている。ヒートシンク１６の下方には、冷却風を送風する冷却ファン１７が取り付けられている。
【００３６】
次に、ヒンジ部Ｈ１の近傍部分の構造についてより具体的に説明する。図４は、鍋収納部８の構造を後方斜め上方から見た斜視図である。図５は、鍋収納部８から上枠１０を取り外した状態を後方斜め上方から見た斜視図である。
【００３７】
図４に示すように、上枠１０の後部（図４の左下側）には、ヒンジ部Ｈ１が配置されている。本実施形態において、ヒンジ部Ｈ１は、上枠１０の上面後部から上方へ突出し、蓋体２に設けられたヒンジ軸２Ａを回動自在に保持するように構成されている。ヒンジ部Ｈ１は、樹脂により構成されている。ヒンジ部Ｈ１は、図２に示すように、外部に露出しないようにカバー１８によって覆われている。
【００３８】
ヒンジ部Ｈ１には、ヒンジ部Ｈ１を補強するヒンジ補強部材２１が取り付けられている。ヒンジ補強部材２１は、ヒンジ部Ｈ１よりも剛性が高い金属材料で構成されている。また、ヒンジ補強部材２１は、所定の形状の金属板を複数回折り曲げ加工して構成されている。
【００３９】
本実施形態において、ヒンジ補強部材２１は、図４及び図５に示すように、略Ｕ字型の形状を有している。ヒンジ補強部材２１は、ヒンジ軸２Ａに対して平行な鉛直面上に配置された鉛直板部２１ａと、鉛直板部２１ａの左右上端部から上方へ延設され、ヒンジ軸２Ａに係合するフック部２１ｂ，２１ｂとを有している。フック部２１ｂ，２１ｂは、鉛直板部２１ａの左右上端部から上枠１０に対して平行になるように９０度屈曲し、鉛直板部２１ｂ及び上枠１０に対して直交するように上方へ９０度段階的に屈曲するように形成されている。鉛直板部２１ａには、左右対称に複数のネジ穴２１ｃが設けられている。ヒンジ補強部材２１は、複数のネジ穴２１ｃを通じてネジ（図示せず）がヒンジ部Ｈ１にネジ込まれることにより、ヒンジ部Ｈ１に固定される。
【００４０】
ヒンジ補強部材２１には、上枠１０を補強する上枠補強部材２２が取り付けられている。上枠補強部材２２は、ヒンジ部Ｈ１よりも剛性が高い金属材料で構成されている。また、上枠補強部材２２は、所定の形状の金属板を複数回折り曲げ加工して構成されている。本実施形態において、上枠補強部材２２は、第１補強部材２３と、第２補強部材２４とで構成されている。
【００４１】
図６は、上枠補強部材２２を取り付けた上枠１０を斜め下方から見た斜視図である。図７は、第１補強部材２３を斜め上方から見た斜視図である。図８は、第２補強部材２４を斜め上方から見た斜視図である。図９は、ヒンジ補強部材２１と上枠補強部材２２とを組み合わせた状態を斜め下方から見た斜視図である。
【００４２】
第１補強部材２３は、図５〜図７に示すように、ヒンジ軸２Ａに対して平行な鉛直面上に配置された鉛直板部２３ａと、鉛直板部２３ａの左右両端部２３ａａ，２３ａａから保護枠９まで延設された水平延設部２３ｂ，２３ｂと、水平延設部２３ｂ，２３ｂから上方へ延設され、ヒンジ軸２Ａに係合するフック部２３ｃ，２３ｃとを有している。
【００４３】
鉛直板部２３ａの水平方向の中央部には、保護枠９から離れる方向に突出する出っ張り部２３ａｂが設けられている。この出っ張り部２３ａｂの外面に、ヒンジ補強部材２１の鉛直板部２１ａの内面が接触するように配置される。出っ張り部２３ａｂには、鉛直板部２１ａに設けられた複数のネジ穴２１ｃと対応する位置にそれぞれネジ穴２３ａｃが設けられている。第１補強部材２３は、ネジ穴２１ｃ及びネジ穴２３ａｃを通じてネジ（図示せず）がヒンジ部Ｈ１にネジ込まれることにより、ヒンジ補強部材２１及びヒンジ部Ｈ１に固定される。また、鉛直板部２３ａの左右両端部２３ａａの近傍には、ネジ穴２３ａｄ，２３ａｄが設けられている。第１補強部材２３は、ネジ穴２３ａｄを通じてネジ（図示せず）がヒンジ部Ｈ１にネジ込まれることにより、ヒンジ部Ｈ１により強固に固定される。
【００４４】
水平延設部２３ｂ，２３ｂは、鉛直板部２３ａの左右両端部から保護枠９に向けて９０度屈曲し、その上部が上枠１０の内面１０ｂに沿うとともに互いに近づく方向に更に９０度屈曲するように形成されている。上枠１０の内面１０ｂには、略格子状に配置された複数のリブ１０ｃが設けられている。
【００４５】
各水平延設部２３ｂの先端部２３ｂａは、保護枠９と上枠１０との隙間に位置するように設けられている。各水平延設部２３ｂの先端部２３ｂａは、互いに隣接するリブ１０ｃ，１０ｃの間に配置されている。各水平延設部２３ｂの先端部２３ｂａには、ネジ穴２３ｂｂが設けられている。第１補強部材２３は、保護枠９に設けられたネジ穴（図示せず）及び水平延設部２３ｂのネジ穴２３ｂｂを通じてネジが上枠１０にネジ込まれることにより、保護枠９及び上枠１０に固定される。これにより、第１補強部材２３は、上枠１０の内面１０ｂが湾曲又は屈曲するのを抑えるように機能する。
【００４６】
フック部２３ｃ，２３ｃは、水平延設部２３ｂの鉛直板部２３ａとの接続部分の近傍から上方へ延設され、ヒンジ軸２Ａに係合するように形成されている。また、フック部２３ｃは、ヒンジ軸２Ａに対してヒンジ補強部材２１のフック部２１ｂとは異なる方向から係合するように形成されている。すなわち、本実施形態において、第１補強部材２３は、ヒンジ部Ｈ１を補強するヒンジ補強部材としての機能も有するように構成されている。
【００４７】
第２補強部材２４は、図６及び図８に示すように、ヒンジ軸２Ａに対して平行な鉛直面上に配置された鉛直板部２４ａと、鉛直板部２４ａから保護枠９まで延設された水平延設部２４ｂと、保護枠９の外面９ｃに沿うように水平延設部２４ｂから延設された鉛直延設部２４ｃとを有している。
【００４８】
鉛直板部２４ａは、略矩形板状に形成されている。鉛直板部２４ａの下端部には、保護枠９から離れる方向に９０度屈曲する２つの係合片２４ａａ，２４ａａが設けられている。係合片２４ａａ，２４ａａは、図９に示すように、第１補強部材２３の鉛直板部２３ａの下端部から保護枠９に近づく方向に９０度屈曲する２つの係合片２３ａｅ，２３ａｅと係合するように設けられている。各係合片２４ａａには、ネジ穴２４ａｂが設けられている。第２補強部材２４は、ネジ穴２４ａｂ及び第１補強部材２３の係合片２３ａｅに設けられたネジ穴（図示せず）を通じてネジ（図示せず）がヒンジ部Ｈ１にネジ込まれることにより、第１補強部材２３及びヒンジ部Ｈ１に固定される。
【００４９】
水平延設部２４ｂは、図６に示すように、鉛直板部２４ａから保護枠９に向けて９０度屈曲するように形成されている。水平延設部２４ｂは、略矩形板状に形成され、互いに隣接するリブ１０ｃ，１０ｃの間に配置されている。また、水平延設部２４ｂは、第１補強部材２３の水平延設部２３ｂ，２３ｂの間に配置されている。
【００５０】
鉛直延設部２４ｃは、図６に示すように、水平延設部２４ｂから保護枠９の外面９ｃに沿うように９０度屈曲するように形成されている。鉛直延設部２４ｃは、略矩形板状に形成されている。保護枠９の内面及び外面には、図５に示すように、複数のリブ９ｄが形成されている。
【００５１】
また、鉛直延在部２４ｃの両下端部には、保護枠９に設けられた段部（図示せず）に係合するように９０度屈曲する２つの係合片２４ｃａ，２４ｃａが設けられている。各係合片２４ｃａには、ネジ穴２４ｃｂが設けられている。第２補強部材２４は、ネジ穴２４ｃｂ，２４ｃｂを通じてネジ（図示せず）が保護枠９にネジ込まれることにより、保護枠９に固定される。第２補強部材２４は、上枠１０の内面１０ｂと保護枠９の外面９ｃとが成す角度（例えば、９０度）を保持するように機能する。
【００５２】
本実施形態に係る圧力式炊飯器によれば、第１補強部材２３及び第２補強部材２４が、ヒンジ補強部材２１から高剛性を有する保護枠９まで上枠１０の内面１０ｂに沿って延在するように設けられている。この構成によれば、ヒンジ部Ｈ１の近傍部分の破壊又は変形をより一層抑えることができる。また、この構成によれば、ヒンジ部Ｈ１の近傍部分を、高剛性を有する金属などで構成する必要がなく、従来に用いられている樹脂製の保護枠をそのまま使用することができ、コストの増加を抑えることができる。
【００５３】
また、本実施形態に係る圧力式炊飯器によれば、第１補強部材２３の先端部２３ｂａが保護枠９と上枠１０との隙間に位置するように設けられている。この構成によれば、ヒンジ部Ｈ１と保護枠９との間における上枠１０の破壊又は変形をより確認に抑えることができる。
【００５４】
また、本実施形態に係る圧力式炊飯器によれば、第２補強部材２４が係合片２４ｃａにより保護枠９の外面９ｃに取り付けられている。この構成によれば、ヒンジ部Ｈ１と保護枠９との間における上枠１０の破壊又は変形をより確認に抑えることができる。
【００５５】
また、本実施形態に係る圧力式炊飯器によれば、第２補強部材２４が上枠１０の内面１０ｂと保護枠９の外面９ｃとが成す角度を保持するように機能するので、上枠１０の破壊又は変形をより確認に抑えることができる。
【００５６】
なお、本発明は前記実施形態に限定されるものではなく、その他種々の態様で実施できる。例えば、前記では、上枠補強部材２２を第１補強部材２３及び第２補強部材２４の２つの部材で構成されるものとしたが、本発明はこれに限定されない。上枠補強部材２２は、第１補強部材２３及び第２補強部材２４の少なくともいずれか一方で構成されればよい。
【００５７】
また、前記では、第１補強部材２３に水平延設部２３ｂ及びフック部２３ｃ，２３ｃの両方を設けて、上枠１０の内面１０ｂが湾曲又は屈曲するのを抑える機能と、ヒンジ部Ｈ１を補強する機能の２つの機能を有するように構成したが、本発明はこれに限定されない。上枠１０の内面１０ｂが湾曲又は屈曲するのを抑えるように機能する部材と、ヒンジ部Ｈ１を補強する機能を有する部材とをそれぞれ別の部材としてもよい。
【００５８】
なお、ヒンジ部Ｈ１は、上枠１０に設けられてもよいし、炊飯器本体Ｈ１に設けられてもよい。また，前記では、蓋体２がヒンジ軸２Ａを備え、上枠１０の上方後部に設けたヒンジ部Ｈ１がヒンジ軸２Ａを回転自在に保持するように構成したが、本発明はこれに限定されない。例えば、ヒンジ部Ｈ１がヒンジ軸を備え。蓋体２が当該ヒンジ軸を回転自在に保持するように構成されてもよい。
【００５９】
また、前述したヒンジ補強部材２１及び上枠補強部材２２の構成は、単なる例示であって、屈曲角度やネジ穴の位置等の具体的な構成については適宜変更可能である。
【産業上の利用可能性】
【００６０】
本発明に係る圧力式炊飯器は、ヒンジ部の近傍部分の破壊又は変形をより一層抑えることができるので、家庭用の炊飯器のみならず、業務用の炊飯器などにも有用である。
【符号の説明】
【００６１】
１    炊飯器本体
１ａ  上端部
２    蓋体
２Ａ  ヒンジ軸
３    表示部
４    操作部
５    鍋
６    蒸気筒
７    開ボタン
８    鍋収納部
９    保護枠
９ａ  上端部
９ｂ  開口部
９ｃ  外面
９ｄ  リブ
１０    上枠
１０ａ  内周部
１０ｂ  内面
１０ｃ  リブ
１１    鍋加熱装置
１１ａ  底内コイル
１１ｂ  底外コイル
１２    鍋温度センサ
１３    制御装置
１４    電子部品
１５    制御基板
１６    ヒートシンク
１７    冷却ファン
１８    カバー
２１    ヒンジ補強部材
２１ａ  鉛直板部
２１ｂ  フック部
２１ｃ  ネジ穴
２２    上枠補強部材
２３    第１補強部材
２３ａ  鉛直板部
２３ａａ  端部
２３ａｂ  出っ張り部
２３ａｃ，２３ａｄ  ネジ穴
２３ａｅ  係合片
２３ｂ  水平延設部
２３ｂａ  先端部
２３ｂｂ  ネジ穴
２３ｃ  フック部
２４    第２補強部材
２４ａ  鉛直板部
２４ａａ  係合片
２４ａｂ  ネジ穴
２４ｂ  水平延設部
２４ｃ  鉛直延設部
２４ｃａ  係合片
２４ｃｂ  ネジ穴
Ｈ１    ヒンジ部
【図１】
0006583724.tif 000002
【図２】
0006583724.tif 000003
【図３】
0006583724.tif 000004
【図４】
0006583724.tif 000005
【図５】
0006583724.tif 000006
【図６】
0006583724.tif 000007
【図７】
0006583724.tif 000008
【図８】
0006583724.tif 000009
【図９】
0006583724.tif 000010